(57)【要約】【課題】異なるトランシーバ間でのアンテナの共有が可能な通信装置等を提供する。【解決手段】通信装置２００は、第１、第２及び第３のアンテナ２０１，２０２，２０３と、少なくとも第１のアンテナ２０１により通信するよう構成される第１のトランシーバ２０４と、少なくとも第２のアンテナ２０２により通信するよう構成される第２のトランシーバ２０５と、第３のアンテナ２０３が第１又は第２のトランシーバによって使用されるべきかどうかを選択基準に基づき決定し、第３のアンテナが第１のトランシーバによって使用されるべきであると決定する場合に第１のトランシーバを第１及び第３のアンテナにより通信するように制御し、第３のアンテナが第２のトランシーバによって使用されるべきであると決定する場合に第２のトランシーバを第２及び第３のアンテナにより通信するように制御するよう構成されるコントローラ２０６とを有する。【選択図】図２
2014230279.tif 000002
【特許請求の範囲】
【請求項１】
第１のアンテナ、第２のアンテナ及び第３のアンテナと、
少なくとも前記第１のアンテナにより通信するよう構成される第１のトランシーバと、
少なくとも前記第２のアンテナにより通信するよう構成される第２のトランシーバと、
前記第３のアンテナが前記第１のトランシーバ又は前記第２のトランシーバによって使用されるべきかどうかを選択基準に基づき決定するよう構成され、前記第３のアンテナが前記第１のトランシーバによって使用されるべきであると決定する場合に前記第１のトランシーバを前記第１のアンテナ及び前記第３のアンテナにより通信するように制御し、前記第３のアンテナが前記第２のトランシーバによって使用されるべきであると決定する場合に前記第２のトランシーバを前記第２のアンテナ及び前記第３のアンテナにより通信するように制御するよう構成されるコントローラと
を有する通信装置。
【請求項２】
前記第１のトランシーバは、第１の無線アクセステクノロジに従って通信するよう構成され、前記第２のトランシーバは、前記第１の無線アクセステクノロジとは異なる第２の無線アクセステクノロジに従って通信するよう構成される、
請求項１に記載の通信装置。
【請求項３】
前記第１のトランシーバは第１のベースバンド回路を有し、前記第２のトランシーバは第２のベースバンド回路を有する、
請求項１又は２に記載の通信装置。
【請求項４】
前記コントローラは、
前記第３のアンテナが前記第１のトランシーバによって使用されるべきであると決定する場合に前記第１のトランシーバを前記第１のアンテナ及び前記第３のアンテナにより通信するように且つ前記第２のトランシーバを前記第２のアンテナにより同時に通信するように制御し、
前記第３のアンテナが前記第２のトランシーバによって使用されるべきであると決定する場合に前記第２のトランシーバを前記第２のアンテナ及び前記第３のアンテナにより通信するように且つ前記第１のトランシーバを前記第１のアンテナにより同時に通信するように制御する
よう構成される、請求項１乃至３のうちいずれか一項に記載の通信装置。
【請求項５】
前記コントローラは、前記第１のトランシーバの通信の品質要求及び前記第２のトランシーバの通信の品質要求に基づき、前記第３のアンテナが前記第１のトランシーバ又は前記第２のトランシーバによって使用されるべきかどうかを決定するよう構成される、
請求項１乃至４のうちいずれか一項に記載の通信装置。
【請求項６】
前記コントローラは、
前記第１のトランシーバの通信の品質要求が前記第２のトランシーバの通信の品質要求よりも高い場合に、前記第３のアンテナが前記第１のトランシーバによって使用されるべきであると決定し、
前記第２のトランシーバの通信の品質要求が前記第１のトランシーバの通信の品質要求よりも高い場合に、前記第３のアンテナが前記第２のトランシーバによって使用されるべきであると決定する
よう構成される、請求項５に記載の通信装置。
【請求項７】
前記品質要求は、スループット要求若しくはロバスト性要求又はそれらの組み合わせである、
請求項５又は６に記載の通信装置。
【請求項８】
前記コントローラは、前記第１のトランシーバの通信の優先度及び前記第２のトランシーバの通信の優先度に基づき、前記第３のアンテナが前記第１のトランシーバ又は前記第２のトランシーバによって使用されるべきかどうかを決定するよう構成される、
請求項１乃至７のうちいずれか一項に記載の通信装置。
【請求項９】
前記コントローラは、前記第１のトランシーバの通信の無線条件に基づき且つ前記第２のトランシーバの通信の無線条件に基づき、前記第３のアンテナが前記第１のトランシーバ又は前記第２のトランシーバによって使用されるべきかどうかを決定するよう構成される、
請求項１乃至８のうちいずれか一項に記載の通信装置。
【請求項１０】
前記コントローラは、
前記第１のトランシーバの通信の無線条件が前記第２のトランシーバの通信の無線条件よりも悪い場合に、前記第３のアンテナが前記第１のトランシーバによって使用されるべきであると決定し、
前記第２のトランシーバの通信の無線条件が前記第１のトランシーバの通信の無線条件よりも悪い場合に、前記第３のアンテナが前記第２のトランシーバによって使用されるべきであると決定する
よう構成される、請求項９に記載の通信装置。
【請求項１１】
前記コントローラは、
前記第３のアンテナが前記第１のトランシーバによって使用されるべきであると決定する場合に前記第１のトランシーバを前記第１のアンテナ及び前記第３のアンテナによりＭＩＭＯ通信を実行するように制御し、
前記第３のアンテナが前記第２のトランシーバによって使用されるべきであると決定する場合に前記第２のトランシーバを前記第２のアンテナ及び前記第３のアンテナによりＭＩＭＯ通信を実行するように制御する
よう構成される、請求項１乃至１０のうちいずれか一項に記載の通信装置。
【請求項１２】
通信端末である請求項１乃至１１のうちいずれか一項に記載の通信装置。
【請求項１３】
モバイルセルラー無線通信システムの加入者局であり、
前記第１のトランシーバは、前記モバイルセルラー無線通信システムの基地局と通信するよう構成される、
請求項１乃至１２のうちいずれか一項に記載の通信装置。
【請求項１４】
第１のアンテナ、第２のアンテナ及び第３のアンテナを有する通信装置のうちの第３のアンテナが該通信装置の第１のトランシーバ又は第２のトランシーバによって使用されるべきかどうかを選択基準に基づき決定するステップと、
前記第３のアンテナが前記第１のトランシーバによって使用されるべきである場合に前記第１のトランシーバを前記第１のアンテナ及び前記第３のアンテナにより通信するよう制御するステップと、
前記第３のアンテナが前記第２のトランシーバによって使用されるべきである場合に前記第２のトランシーバを前記第２のアンテナ及び前記第３のアンテナにより通信するよう制御するステップと
を有する無線通信実行方法。
【請求項１５】
プロセッサによって実行される場合に該プロセッサに請求項１４に記載の無線通信実行方法を実行させる命令を記録したコンピュータ可読媒体。
【発明の詳細な説明】
【技術分野】
【０００１】
記載される実施形態は、概して、通信装置及び無線通信実行方法に関する。
【背景技術】
【０００２】
今日のモバイル通信装置（例えば、スマートフォン、タブレット、ノートブック等）は、ＷＬＡＮ（Wireless  Local  Area  Network）、ブルートゥース、ＧＰＳ（Global  Positioning  System）、ＧＳＭ（Global  System  for  Mobile  Communications）、ＵＭＴＳ（Universal  Mobile  Telecommunication  System）、ＬＴＥ（Long  Term  Evolution）等のような複数の無線アクセステクノロジ（ＲＡＴ；Radio  Access  Technology）をサポートしてよい。特定のＲＡＴによる無線信号の受信及び送信のために、通信装置はアンテナを必要とする。受信ダイバーシティ若しくは送信ダイバーシティ又はＭＩＭＯ（Multiple  Input  Multiple  Output）のような技術による高データ速度又は改善された受信のために、複数のアンテナでさえ特定のＲＡＴ、例えば、ＬＴＥ又はＷＬＡＮに必要とされることがある。
【発明の概要】
【発明が解決しようとする課題】
【０００３】
しかし、モバイル通信装置における利用可能な空間は、通常は極めて限られており、より多くのアンテナを置くにはしばしば十分でない。アンテナのサイズの低減は、アンテナの性能を有意に低減し得るために、可能でないか又は望ましくないことがある。更に、モバイル通信装置に組み込まれる夫々のアンテナは、モバイル通信装置の製造中に追加の費用を生む。
【課題を解決するための手段】
【０００４】
本発明の実施形態は、第１のアンテナ、第２のアンテナ及び第３のアンテナと、少なくとも前記第１のアンテナにより通信するよう構成される第１のトランシーバと、少なくとも前記第２のアンテナにより通信するよう構成される第２のトランシーバと、前記第３のアンテナが前記第１のトランシーバ又は前記第２のトランシーバによって使用されるべきかどうかを選択基準に基づき決定するよう構成され、前記第３のアンテナが前記第１のトランシーバによって使用されるべきであると決定する場合に前記第１のトランシーバを前記第１のアンテナ及び前記第３のアンテナにより通信するように制御し、前記第３のアンテナが前記第２のトランシーバによって使用されるべきであると決定する場合に前記第２のトランシーバを前記第２のアンテナ及び前記第３のアンテナにより通信するように制御するよう構成されるコントローラとを有する通信装置を提供する。
【０００５】
本発明の更なる実施形態は、第１のアンテナ、第２のアンテナ及び第３のアンテナを有する通信装置のうちの第３のアンテナが該通信装置の第１のトランシーバ又は第２のトランシーバによって使用されるべきかどうかを選択基準に基づき決定するステップと、前記第３のアンテナが前記第１のトランシーバによって使用されるべきである場合に前記第１のトランシーバを前記第１のアンテナ及び前記第３のアンテナにより通信するよう制御するステップと、前記第３のアンテナが前記第２のトランシーバによって使用されるべきである場合に前記第２のトランシーバを前記第２のアンテナ及び前記第３のアンテナにより通信するよう制御するステップとを有する無線通信実行方法を提供する。
【０００６】
本発明の更なる他の実施形態は、プロセッサによって実行される場合に該プロセッサに上記の無線通信実行方法を実行させる命令を記録したコンピュータ可読媒体を提供する。
【発明の効果】
【０００７】
本発明の実施形態によれば、異なる無線アクセステクノロジに従うトランシーバ間でアンテナを共有することが可能となり、結果としてアンテナの数を減らすことが可能となる。
【図面の簡単な説明】
【０００８】
【図１】通信配置を示す。
【図２】通信装置を示す。
【図３】無線通信を実行する方法を表すフロー図を示す。
【図４】アンテナを共有するＬＴＥトランシーバ及びＷＬＡＮトランシーバを備えたトランシーバ配置を示す。
【図５】未知の長さ期間に共有アンテナがＬＴＥからＷＬＡＮへ切り替えられるシナリオを表す信号図を示す。
【図６】既知の長さの短期間に共有アンテナがＬＴＥからＷＬＡＮへ切り替えられる信号図を示す。
【図７】ごく短い期間に共有アンテナがＬＴＥからＷＬＡＮへ切り替えられる信号図を示す。
【図８】テザリングシナリオにおける通信配置を示す。
【発明を実施するための形態】
【０００９】
図面において、参照符号は概して、異なる図を通して同じ部分を参照する。図面は必ずしも実寸ではなく、本発明の原理を説明するに当たり概して強調される。以下の記載において、様々な態様が図面を参照して説明される。
【００１０】
以下の詳細な説明は、例示として、本発明が実施され得る本開示の具体的な詳細及び態様を示す添付の図面を参照する。他の態様が利用されてよく、構造的、論理的及び電気的な変更が本発明の適用範囲から逸脱することなしに実施されてよい。本開示の様々な態様は、本開示の幾つかの態様が新たな態様を形成するよう本開示の１以上の他の態様と組み合わされ得るので、必ずしも相互排他的ではない。
【００１１】
図１は、通信配置１００を示す。
【００１２】
通信配置１００は、２つ（又はそれ以上）の無線アクセステクノロジ（ＲＡＴ）、本例ではＬＴＥ（Long  Term  Evolution）及びＷｉＦｉ（すなわち、言い換えるとＷＬＡＮ）をサポートするモバイル通信装置１０１（例えば、スマートフォン、タブレット、ノートブック等）を含む。このため、モバイル端末とも呼ばれるモバイル通信装置１０１は、第１のトランシーバ１０２、本例ではＬＴＥトランシーバと、第２のトランシーバ１０３、本例ではＷｉＦｉトランシーバとを有する。
【００１３】
モバイル通信装置１０１は、複数のアンテナ１０４を更に有する。アンテナ１０４の１以上を用いて、ＬＴＥトランシーバ１０２はＬＴＥ基地局１０５と通信してよく、ＷｉＦｉトランシーバ１０３はＷＬＡＮ（Wireless  Local  Area  Network）アクセスポイント１０６と通信してよい。
【００１４】
ＬＴＥ及びＷｉＦｉは単なる例であり、ＵＭＴＳ（Universal  Mobile  Telecommunications  System）、ＧＳＭ（Global  System  for  Mobile  Communications）、ブルートゥース、ＧＰＳ（Global  Positioning  System）等のような他のＲＡＴが使用されてよいことが留意されるべきである。
【００１５】
ＲＡＴ、本例ではＬＴＥ及びＷｉＦｉは、１よりも多いアンテナの使用を求める技術、例えば、ＭＩＭＯ（Multiple  Input  Multiple  Output）をサポートしてよい。例えば、空間的な制限により望ましくないことがある多数のアンテナを有することなく、両方のトランシーバ１０２、１０３にそのような技術のための十分な数を提供するよう、アンテナは複数のＲＡＴによって同時に使用（非制御）されてよい。しかし、異なるＲＡＴの信号間の起こり得る相互作用と、特定のＲＡＴへのアンテナのチューニングの欠如とにより、受信性能は悪化することがある。
【００１６】
以下で記載されるように、一例に従って、１以上のアンテナがそれをＲＡＴ（夫々が複数のアンテナを要求する。）間で制御された態様において切り替えることによってＲＡＴ間で共有され得る通信装置が提供される。ＬＴＥ及びＷｉＦｉのようなＲＡＴは、通常は、高速データ受信若しくは送信のために又は不良の無線条件の下でのみ複数のアンテナを必要とする。しかし、複数のＲＡＴが同時に高速データ受信又は送信を行う可能性はない。複数のＲＡＴが不良の無線条件を経験する場合において、どのＲＡＴがより重要であり且つ共有アンテナを割り当てられるかの優先度決定が行われ得る。
【００１７】
図２は、通信装置２００を示す。
【００１８】
通信装置２００は、第１のアンテナ２０１、第２のアンテナ２０２及び第３のアンテナ２０３と、少なくとも第１のアンテナ２０１により通信するよう構成される第１のトランシーバ２０４と、少なくとも第２のアンテナ２０２により通信するよう構成される第２のトランシーバ２０５とを有する。
【００１９】
通信装置２００は、第３のアンテナ２０３が第１のトランシーバ２０４又は第２のトランシーバ２０５によって使用されるべきかどうかを選択基準に基づき決定するよう構成され、第３のアンテナ２０３が第１のトランシーバ２０４によって使用されるべきであると決定する場合に第１のトランシーバ２０４を第１のアンテナ２０１及び第３のアンテナ２０３により通信するように制御し、第３のアンテナ２０３が第２のトランシーバ２０５によって使用されるべきであると決定する場合に第２のトランシーバ２０５を第２のアンテナ２０２及び第３のアンテナ２０３により通信するように制御するよう構成されるコントローラ２０６を更に有する。
【００２０】
つまり、アンテナ（本例では、第３のアンテナ２０３）は、どのトランシーバが（どのみちトランシーバに割り当てられる１以上のアンテナに加えて）そのアンテナを使用してよいかが特定の基準に基づき決定されるという意味で、異なるトランシーバ（例えば、異なるＲＡＴに従って動作する。）間で共有されてよい。基準は、例えば、第１のトランシーバの通信及び第２のトランシーバの通信の必要とされる品質（例えば、必要とされるスループット、ロバスト性、クオリティ・オブ・サービス（ＱｏＳ）、レイテンシー等）、第１のトランシーバの優先度及び第２のトランシーバの優先度、並びに／又はトランシーバが経験する現在の無線条件に基づいてよい。例えば、より悪い無線条件を経験するトランシーバが共有アンテナを割り当てられる。より悪い無線条件は、例えば、失われた通信接続のより高いリスク又はより高いビットエラーレート若しくはパケットエラーレート、より低い信号対雑音比、等を意味してよい。
【００２１】
通信装置２００は、例えば、図３に表されるような方法を実行する。
【００２２】
図３は、フロー図３００を示す。
【００２３】
フロー図３００は、例えば、通信装置のコントローラによって実行される、無線通信を実行する方法を表す。
【００２４】
３０１で、コントローラは、第１のアンテナ、第２のアンテナ及び第３のアンテナを有する通信装置の第３のアンテナが通信装置の第１のトランシーバ又は第２のトランシーバによって使用されるべきであるかどうかを選択基準に基づき決定する。
【００２５】
３０２で、コントローラは、第３のアンテナが第１のトランシーバによって使用されるべきである場合に第１のトランシーバを第１のアンテナ及び第３のアンテナにより通信するよう制御する。
【００２６】
３０３で、コントローラは、第３のアンテナが第２のトランシーバによって使用されるべきである場合に第２のトランシーバを第２のアンテナ及び第３のアンテナにより通信するよう制御する。
【００２７】
以下の例は、更なる実施形態に関連する。
【００２８】
図２を参照して記載される例１は、第１のアンテナ、第２のアンテナ及び第３のアンテナと、少なくとも前記第１のアンテナにより通信するよう構成される第１のトランシーバと、少なくとも前記第２のアンテナにより通信するよう構成される第２のトランシーバと、前記第３のアンテナが前記第１のトランシーバ又は前記第２のトランシーバによって使用されるべきかどうかを選択基準に基づき決定するよう構成され、前記第３のアンテナが前記第１のトランシーバによって使用されるべきであると決定する場合に前記第１のトランシーバを前記第１のアンテナ及び前記第３のアンテナにより通信するように制御し、前記第３のアンテナが前記第２のトランシーバによって使用されるべきであると決定する場合に前記第２のトランシーバを前記第２のアンテナ及び前記第３のアンテナにより通信するように制御するよう構成されるコントローラとを有する通信装置である。
【００２９】
例２において、例１の主題は、任意に、第１の無線アクセステクノロジに従って通信するよう構成される前記第１のトランシーバと、前記第１の無線アクセステクノロジとは異なる第２の無線アクセステクノロジに従って通信するよう構成される前記第２のトランシーバとを有することができる。
【００３０】
例３において、例１乃至２の主題は、任意に、第１のベースバンド回路を有する前記第１のトランシーバと、第２のベースバンド回路を有する前記第２のトランシーバとを有することができる。
【００３１】
例４において、図１乃至３の主題は、任意に、前記第３のアンテナが前記第１のトランシーバによって使用されるべきであると決定する場合に前記第１のトランシーバを前記第１のアンテナ及び前記第３のアンテナにより通信するように且つ前記第２のトランシーバを前記第２のアンテナにより同時に通信するように制御し、前記第３のアンテナが前記第２のトランシーバによって使用されるべきであると決定する場合に前記第２のトランシーバを前記第２のアンテナ及び前記第３のアンテナにより通信するように且つ前記第１のトランシーバを前記第１のアンテナにより同時に通信するように制御するよう構成される前記コントローラを有することができる。
【００３２】
例５において、例１乃至４の主題は、任意に、前記第１のトランシーバの通信の品質要求及び前記第２のトランシーバの通信の品質要求に基づき、前記第３のアンテナが前記第１のトランシーバ又は前記第２のトランシーバによって使用されるべきかどうかを決定するよう構成される前記コントローラを有することができる。
【００３３】
例６において、例５の主題は、任意に、前記第１のトランシーバの通信の品質要求が前記第２のトランシーバの通信の品質要求よりも高い場合に、前記第３のアンテナが前記第１のトランシーバによって使用されるべきであると決定し、前記第２のトランシーバの通信の品質要求が前記第１のトランシーバの通信の品質要求よりも高い場合に、前記第３のアンテナが前記第２のトランシーバによって使用されるべきであると決定するよう構成される前記コントローラを有することができる。
【００３４】
例７において、例５乃至６の主題は、任意に、スループット要求若しくはロバスト性要求又はそれらの組み合わせである前記品質要求を有することができる。
【００３５】
例８において、例１乃至７の主題は、任意に、前記第１のトランシーバの通信の優先度及び前記第２のトランシーバの通信の優先度に基づき、前記第３のアンテナが前記第１のトランシーバ又は前記第２のトランシーバによって使用されるべきかどうかを決定するよう構成される前記コントローラを有することができる。
【００３６】
例９において、例１乃至８の主題は、任意に、前記第１のトランシーバの通信の無線条件に基づき且つ前記第２のトランシーバの通信の無線条件に基づき、前記第３のアンテナが前記第１のトランシーバ又は前記第２のトランシーバによって使用されるべきかどうかを決定するよう構成される前記コントローラを有することができる。
【００３７】
例１０において、例９の主題は、任意に、前記第１のトランシーバの通信の無線条件が前記第２のトランシーバの通信の無線条件よりも悪い場合に、前記第３のアンテナが前記第１のトランシーバによって使用されるべきであると決定し、前記第２のトランシーバの通信の無線条件が前記第１のトランシーバの通信の無線条件よりも悪い場合に、前記第３のアンテナが前記第２のトランシーバによって使用されるべきであると決定するよう構成される前記コントローラを有することができる。
【００３８】
例１１において、例１乃至１０の主題は、任意に、前記第３のアンテナが前記第１のトランシーバによって使用されるべきであると決定する場合に前記第１のトランシーバを前記第１のアンテナ及び前記第３のアンテナによりＭＩＭＯ通信を実行するように制御し、前記第３のアンテナが前記第２のトランシーバによって使用されるべきであると決定する場合に前記第２のトランシーバを前記第２のアンテナ及び前記第３のアンテナによりＭＩＭＯ通信を実行するように制御するよう構成される前記コントローラを有することができる。
【００３９】
例１２において、例１乃至１１の主題は、任意に、通信端末である前記通信装置を有することができる。
【００４０】
例１３において、例１乃至１２の主題は、任意に、モバイルセルラー無線通信システムの加入者局である前記通信装置を有することができ、前記第１のトランシーバは、前記モバイルセルラー無線通信システムの基地局と通信するよう構成される。
【００４１】
例１４において、例１乃至１３の主題は、任意に、無線ローカルエリアネットワーク（ＷＬＡＮ）のアクセスポイントと通信するよう構成される前記第２のトランシーバを有することができる。
【００４２】
例１５において、例１乃至１４の主題は、任意に、前記第３のアンテナが前記第１のトランシーバによって使用されるべきである場合に前記第１のトランシーバを前記第１のアンテナ及び第３のアンテナによりダウンリンク通信を実行するように制御し、前記第３のアンテナが前記第２のトランシーバによって使用されるべきである場合に前記第２のトランシーバを前記第２のアンテナ及び前記第３のアンテナによりダウンリンク通信を実行するように制御するよう構成される前記コントローラを有することができる。
【００４３】
例１６において、例１乃至１５の主題は、任意に、前記第３のアンテナが前記第１のトランシーバによって使用されるべきである場合に前記第１のトランシーバを前記第１のアンテナ及び前記第３のアンテナによりダウンリンク通信を実行するように且つ前記第２のトランシーバを同時に前記第２のアンテナによりダウンリンク通信を実行するように制御し、前記第３のアンテナが前記第２のトランシーバによって使用されるべきである場合に前記第２のトランシーバを前記第２のアンテナ及び前記第３のアンテナによりダウンリンク通信を実行するように且つ前記第１のトランシーバを同時に前記第１のアンテナによりダウンリンク通信を実行するように制御するよう構成される前記コントローラを有することができる。
【００４４】
例１７において、例１乃至１６の主題は、任意に、
前記第３のアンテナがダウンリンク通信のために前記第１のトランシーバ又は前記第２のトランシーバによって使用されるべきかどうかを決定するよう、
前記第３のアンテナがダウンリンク通信のために前記第１のトランシーバによって使用されるべきである場合に前記第１のトランシーバを前記第１のアンテナ及び前記第３のアンテナによりダウンリンク通信を実行するように制御するよう、
前記第３のアンテナがダウンリンク通信のために前記第２のトランシーバによって使用されるべきである場合に前記第２のトランシーバを前記第２のアンテナ及び前記第３のアンテナによりダウンリンク通信を実行するように制御するよう、
前記第３のアンテナがアップリンク通信のために前記第１のトランシーバ又は前記第２のトランシーバによって使用されるべきかどうかを決定するよう、
前記第３のアンテナがアップリンク通信のために前記第１のトランシーバによって使用されるべきである場合に前記第１のトランシーバを前記第１のアンテナ及び前記第３のアンテナによりアップリンク通信を実行するように制御するよう、
前記第３のアンテナがアップリンク通信のために前記第２のトランシーバによって使用されるべきである場合に前記第２のトランシーバを前記第２のアンテナ及び前記第３のアンテナによりアップリンク通信を実行するように制御するよう
構成される前記コントローラを有することができる。
【００４５】
例１８において、例１乃至１７の主題は、任意に、第１の装置と通信するよう構成される前記第１のトランシーバと、前記第１の装置とは異なる第２の装置と通信するよう構成される前記第２のトランシーバとを有することができる。
【００４６】
例１９において、例１乃至１８の主題は、任意に、セルラーモバイル通信ネットワークの基地局である前記第１の装置を有することができる。
【００４７】
例２０において、例１乃至１９の主題は、任意に、通信端末である前記第２の装置と、前記第１のトランシーバ及び前記第２のトランシーバにより前記セルラーモバイル通信ネットワークへの通信接続を前記第２の装置に提供するよう構成される前記通信装置とを有することができる。
【００４８】
図３を参照して記載される例２１は、第１のアンテナ、第２のアンテナ及び第３のアンテナを有する通信装置のうちの第３のアンテナが該通信装置の第１のトランシーバ又は第２のトランシーバによって使用されるべきかどうかを選択基準に基づき決定するステップと、前記第３のアンテナが前記第１のトランシーバによって使用されるべきである場合に前記第１のトランシーバを前記第１のアンテナ及び前記第３のアンテナにより通信するよう制御するステップと、前記第３のアンテナが前記第２のトランシーバによって使用されるべきである場合に前記第２のトランシーバを前記第２のアンテナ及び前記第３のアンテナにより通信するよう制御するステップとを有する無線通信実行方法である。
【００４９】
例２２において、例２１の主題は、任意に、第１の無線アクセステクノロジに従って通信するよう構成される前記第１のトランシーバと、前記第１の無線アクセステクノロジとは異なる第２の無線アクセステクノロジに従って通信するよう構成される前記第２のトランシーバとを有することができる。
【００５０】
例２３において、例２１乃至２２の主題は、任意に、第１のベースバンド回路を有する前記第１のトランシーバと、第２のベースバンド回路を有する前記第２のトランシーバとを有することができる。
【００５１】
例２４において、図２１乃至２３の主題は、任意に、前記第３のアンテナが前記第１のトランシーバによって使用されるべきであると決定する場合に前記第１のトランシーバを前記第１のアンテナ及び前記第３のアンテナにより通信するように且つ前記第２のトランシーバを前記第２のアンテナにより同時に通信するように制御するステップと、前記第３のアンテナが前記第２のトランシーバによって使用されるべきであると決定する場合に前記第２のトランシーバを前記第２のアンテナ及び前記第３のアンテナにより通信するように且つ前記第１のトランシーバを前記第１のアンテナにより同時に通信するように制御するステップとを有することができる。
【００５２】
例２５において、例２１乃至２４の主題は、任意に、前記第１のトランシーバの通信の品質要求及び前記第２のトランシーバの通信の品質要求に基づき、前記第３のアンテナが前記第１のトランシーバ又は前記第２のトランシーバによって使用されるべきかどうかを決定するステップを有することができる。
【００５３】
例２６において、例２５の主題は、任意に、前記第１のトランシーバの通信の品質要求が前記第２のトランシーバの通信の品質要求よりも高い場合に、前記第３のアンテナが前記第１のトランシーバによって使用されるべきであると決定するステップと、前記第２のトランシーバの通信の品質要求が前記第１のトランシーバの通信の品質要求よりも高い場合に、前記第３のアンテナが前記第２のトランシーバによって使用されるべきであると決定するステップとを有することができる。
【００５４】
例２７において、例２５乃至２６の主題は、任意に、スループット要求若しくはロバスト性要求又はそれらの組み合わせである前記品質要求を有することができる。
【００５５】
例２８において、例２１乃至２７の主題は、任意に、前記第１のトランシーバの通信の優先度及び前記第２のトランシーバの通信の優先度に基づき、前記第３のアンテナが前記第１のトランシーバ又は前記第２のトランシーバによって使用されるべきかどうかを決定するステップを有することができる。
【００５６】
例２９において、例２１乃至２８の主題は、任意に、前記第１のトランシーバの通信の無線条件に基づき且つ前記第２のトランシーバの通信の無線条件に基づき、前記第３のアンテナが前記第１のトランシーバ又は前記第２のトランシーバによって使用されるべきかどうかを決定するステップを有することができる。
【００５７】
例３０において、例２９の主題は、任意に、前記第１のトランシーバの通信の無線条件が前記第２のトランシーバの通信の無線条件よりも悪い場合に、前記第３のアンテナが前記第１のトランシーバによって使用されるべきであると決定するステップと、前記第２のトランシーバの通信の無線条件が前記第１のトランシーバの通信の無線条件よりも悪い場合に、前記第３のアンテナが前記第２のトランシーバによって使用されるべきであると決定するステップとを有することができる。
【００５８】
例３１において、例２１乃至３０の主題は、任意に、前記第３のアンテナが前記第１のトランシーバによって使用されるべきであると決定する場合に前記第１のトランシーバを前記第１のアンテナ及び前記第３のアンテナによりＭＩＭＯ通信を実行するように制御するステップと、前記第３のアンテナが前記第２のトランシーバによって使用されるべきであると決定する場合に前記第２のトランシーバを前記第２のアンテナ及び前記第３のアンテナによりＭＩＭＯ通信を実行するように制御するステップとを有することができる。
【００５９】
例３２において、例２１乃至３１の主題は、任意に、通信端末である前記通信装置を有することができる。
【００６０】
例３３において、例２１乃至３２の主題は、任意に、モバイルセルラー無線通信システムの加入者局である前記通信装置と、前記モバイルセルラー無線通信システムの基地局と通信するよう構成される前記第１のトランシーバとを有することができる。
【００６１】
例３４において、例２１乃至３３の主題は、任意に、無線ローカルエリアネットワーク（ＷＬＡＮ）のアクセスポイントと通信するよう構成される前記第２のトランシーバを有することができる。
【００６２】
例３５において、例２１乃至３４の主題は、任意に、前記第３のアンテナが前記第１のトランシーバによって使用されるべきである場合に前記第１のトランシーバを前記第１のアンテナ及び第３のアンテナによりダウンリンク通信を実行するように制御するステップと、前記第３のアンテナが前記第２のトランシーバによって使用されるべきである場合に前記第２のトランシーバを前記第２のアンテナ及び前記第３のアンテナによりダウンリンク通信を実行するように制御するステップとを有することができる。
【００６３】
例３６において、例２１乃至３５の主題は、任意に、前記第３のアンテナが前記第１のトランシーバによって使用されるべきである場合に前記第１のトランシーバを前記第１のアンテナ及び前記第３のアンテナによりダウンリンク通信を実行するように且つ前記第２のトランシーバを同時に前記第２のアンテナによりダウンリンク通信を実行するように制御するステップと、前記第３のアンテナが前記第２のトランシーバによって使用されるべきである場合に前記第２のトランシーバを前記第２のアンテナ及び前記第３のアンテナによりダウンリンク通信を実行するように且つ前記第１のトランシーバを同時に前記第１のアンテナによりダウンリンク通信を実行するように制御するステップとを有することができる。
【００６４】
例３７において、例２１乃至３６の主題は、任意に、
前記第３のアンテナがダウンリンク通信のために前記第１のトランシーバ又は前記第２のトランシーバによって使用されるべきかどうかを決定するステップと、
前記第３のアンテナがダウンリンク通信のために前記第１のトランシーバによって使用されるべきである場合に前記第１のトランシーバを前記第１のアンテナ及び前記第３のアンテナによりダウンリンク通信を実行するように制御するステップと、
前記第３のアンテナがダウンリンク通信のために前記第２のトランシーバによって使用されるべきである場合に前記第２のトランシーバを前記第２のアンテナ及び前記第３のアンテナによりダウンリンク通信を実行するように制御するステップと、
前記第３のアンテナがアップリンク通信のために前記第１のトランシーバ又は前記第２のトランシーバによって使用されるべきかどうかを決定するステップと、
前記第３のアンテナがアップリンク通信のために前記第１のトランシーバによって使用されるべきである場合に前記第１のトランシーバを前記第１のアンテナ及び前記第３のアンテナによりアップリンク通信を実行するように制御するステップと、
前記第３のアンテナがアップリンク通信のために前記第２のトランシーバによって使用されるべきである場合に前記第２のトランシーバを前記第２のアンテナ及び前記第３のアンテナによりアップリンク通信を実行するように制御するステップと
を有することができる。
【００６５】
例３８において、例２１乃至３７の主題は、任意に、第１の装置と通信するよう構成される前記第１のトランシーバと、前記第１の装置とは異なる第２の装置と通信するよう構成される前記第２のトランシーバとを有することができる。
【００６６】
例３９において、例２１乃至３８の主題は、任意に、セルラーモバイル通信ネットワークの基地局である前記第１の装置を有することができる。
【００６７】
例４０において、例２１乃至３９の主題は、任意に、通信端末である前記第２の装置と、前記第１のトランシーバ及び前記第２のトランシーバにより前記セルラーモバイル通信ネットワークへの通信接続を前記第２の装置に提供するよう構成される前記通信装置とを有することができる。
【００６８】
例４１は、プロセッサによって実行される場合に該プロセッサに例２１乃至４０のうちのいずれか１つに従う無線通信実行方法を実行させる命令を記録したコンピュータ可読媒体である。
【００６９】
以下で、詳細な例は、両方のＲＡＴがＭＩＭＯを用いて高速データをサポートすることができる場合に、図１に示される、すなわち、ＬＴＥトランシーバ１０２及びＷｉＦｉトランシーバ１０３がアンテナ１０４の１つを共有する、通信配置１００を参照して記載される。図２及び３を参照して記載されるアプローチは、ブルートゥース、ＧＰＳ、ＵＭＴＳ、ＧＳＭ等のような他のＲＡＴにも適用され且つ１よりも多い共有アンテナへ拡張されてよい。
【００７０】
図４は、トランシーバ配置４００を示す。
【００７１】
トランシーバ配置４００は、ＬＴＥトランシーバ１０２に対応するＬＴＥトランシーバ４０１と、ＷｉＦｉトランシーバ１０３に対応するＷｉＦｉトランシーバ４０２とを有する。トランシーバ配置４００は、アンテナ１０４に対応する第１のアンテナ４０３、第２のアンテナ４０４及び第３のアンテナ４０５を更に有する。本例では、第１のアンテナ４０３は恒久的にＬＴＥトランシーバ４０１へ割り当てられ、第２のアンテナ４０４は恒久的にＷｉＦｉトランシーバ４０２へ割り当てられ、第３のアンテナ４０５は共有アンテナであり、スイッチ４０６によってＬＴＥトランシーバ４０１とＷｉＦｉトランシーバ４０２との間で切り替えられてよい。両方のトランシーバ４０１、４０２は、本例では、受信のために、すなわち、基地局１０５及びアクセスポイント１０６からモバイル通信装置１０１へのダウンリンク送信のために、２×２ＭＩＭＯ（すなわち、２つの送信アンテナ及び２つの受信アンテナによるＭＩＭＯ）をサポートする。
【００７２】
単一のアンテナしか使用しないトランシーバ４０１、４０２は、それがＭＩＭＯのために２つのアンテナを使用しないので、他のトランシーバ４０１、４０２と比べてわずかに劣った性能を有する。以下で、例は、両方のＲＡＴ（すなわち、トランシーバ４０１及び４０２）が依然としてうまく機能することができるように、モバイル通信装置１０１のコントローラが如何にしてどちらのトランシーバ４０１、４０２に共有アンテナが割り当てられるかを決定し得るのかを前提とする。
【００７３】
例えば、モバイル通信装置１０１のコントローラは、様々なパラメータを考慮するスマート制御メカニズムに従ってスイッチ４０６を制御することによって、共有アンテナ４０５を切り替える。例えば、コントローラは、以下のことができる。
ａ）どのＲＡＴ（つまり、どちらのトランシーバ４０１、４０２）がより高いデータレートを必要とするのかを決定し、共有アンテナ４０５をこのＲＡＴ（すなわち、対応するトランシーバ４０１、４０２）へ割り当てる。モバイル通信装置１０１がアクティブなＷＬＡＮ（すなわち、ＷｉＦｉ）接続を有する場合は、例えば、そのユーザが家にいるか又は仕事中である場合に、通常、ＷＬＡＮ接続はＬＴＥ接続よりも高いデータレートを提供し、モバイル通信装置１０１は、通常、例えばビデオストリーミングのために、ＷＬＡＮ接続を使用する。モバイル通信装置１０１がＷＬＡＮカバレッジから離れ、例えば、アクセス可能なＷＬＡＮをスキャンする場合に、それはＬＴＥを介して高速データ伝送（例えば、ビデオストリーミング）を実行してよく、コントローラはこのために共有アンテナ４０５をＬＴＥへ切り替えてよい。
ｂ）特定のＲＡＴが劣化した無線条件にあると決定し、共有アンテナ４０５をこのＲＡＴへ割り当てて、対応する通信接続を保つよう（すなわち、接続喪失を回避するよう）このＲＡＴの受信性能を改善する。例えば、家の地下室において、ＷＬＡＮ無線条件は（ことによると、ＷＬＡＮホットスポット又はリピータにより）依然として良好であるが、壁によりＬＴＥ受信は低下し、接続喪失に近いことがある。この場合に、コントローラは、接続を保つよう共有アンテナ４０５をＬＴＥへ切り替えてよい。他方で、ユーザが自身のモバイル通信装置１０１を持って自身の家（又は職場）から離れる（あるいは、自身の庭の後ろに行く）場合に、ＬＴＥカバレッジは良好であるが、ユーザのＷＬＡＮの受信は低下することがあり、コントローラは共有アンテナ４０５をＷＬＡＮへ、すなわち、ＷＬＡＮトランシーバ４０２へ切り替えると決定してよい。
ｃ）２つのＲＡＴに由来しないパラメータを考慮する。例えば、そのようなパラメータには次のものがある。
・ブラウジング、ストリーミング、ボイスコール、ファイルダウンロード、及びＲＡＴへのそれらのルーティング／分配のような、ユーザによって生成されるトラフィックタイプ。
・ユーザ好み（例えば、場合により、“中立”、“ＲＡＴ１又は２をわずかに優先”、“高い優先度”のような異なる閾値により、メニューにおいて設定される。）。この好みはまた、ネットワークオペレータ（例えば、基地局１０５が属するＬＴＥ通信ネットワークオペレータ）又はモバイル通信装置１０１の装置製造者によって、例えば、ＷＬＡＮオフローディングに関する彼らの希望又は能力に基づき、設定されてよい。
・例えば、ユーザによって優先されるＷＬＡＮ（例えば、ホームＷＬＡＮ又はオフィスＷＬＡＮ等）が直ぐ近くであることを示すか又は既知の不良ＬＴＥカバレッジを有する場所を示すことができる位置情報（ＧＮＳＳ（Global  Navigation  Satellite  System）、ＷＬＡＮ  ＩＤ、ＬＴＥセルＩＤ等によって提供される。）。
・例えば、モバイル通信装置１０１の履歴収集、セントラルデータベース、又は場所を示すカレンダエントリのようなモバイル通信装置で利用可能な何らかの他の情報に基づく情報（例えば、上記の事項において与えられる情報）。
ｄ）アンテナ、例えば、ダイバーシティアンテナのオン／オフを、良好／不良状態のようなそれ自体の状態、受信される専用パケット等に基づき切り替える（又はスイッチングを要求する）トランシーバによって用いられる動的な受信又は送信ダイバーシティスキームに依存し得る複数のアンテナについてトランシーバ４０１、４０２の要求を考慮する。例えば、一方のトランシーバ４０１、４０２がとにかく（例えば、良好な条件のために）単一のアンテナしか要求しない場合に、コントローラは共有アンテナ４０５を他方のトランシーバ４０１、４０２へ割り当ててよい。
【００７４】
コントローラは、その決断（又は決定）を、更に上記の事項及びパラメータの組み合わせに関して実行してよい。
【００７５】
コントローラはまた、その決断を、トランシーバ４０１、４０２が遊休状態であるか又はアクティブな接続を有するかに依存して実行してよい。例えば、両方のトランシーバ４０１及び４０２がアクティブな接続を有し（又は確立し）、コントローラがどちらかのトランシーバ４０１又は４０２へ共有アンテナ４０５がアクティブ接続のために割り当てられるべきであると決定することに代えて、コントローラはまた、トランシーバ４０１、４０２の一方又は両方が遊休状態である場合に、どちらのトランシーバ４０１又は４０２へ共有アンテナ４０５が割り当てられるべきかを決定してよい。例えば、遊休状態モードにおいて、通常、受信ギャップ（例えば、ＤＲＸ（不連続受信）スキームにおける）は、ＲＡＴが電力を節約するために使用される。この場合に、コントローラは、共有アンテナ４０５を、それが受信ギャップを有するＲＡＴには必要とされないので、一方のＲＡＴの受信ギャップにおいて他方のＲＡＴへ切り替えてよい。
【００７６】
更なる例が以下で記載される。モバイル通信装置１０１は、ＬＴＥを介するＶｏＬＴＥボイスコール及び、同時にＷｉＦｉ接続を有するとする。この場合に、コントローラは、ブラウジングのためのような散在的なＷＬＡＮトラフィックと、ビデオストリーミングのためのような連続的なＷＬＡＮとを区別してよい。
・散在的な（例えば、ブラウジング）トラフィックに関し、コントローラは、例えば、共有アンテナ４０５を第１のトランシーバ４０１、つまりＶｏＬＴＥボイスコールへ割り当ててよい。コントローラは、例えば、散在的なＷＬＡＮトラフィックのために、第２のトランシーバ４０２へ短期間共有アンテナ４０５を切り替えてよい。この時間期間の後、コントローラは、ネットワーク容量の有効な使用のためにアンテナ４０５をＬＴＥへ切り替え直す。
・ＷｉＦｉを介した高レートビデオストリームにより、例えば、コントローラは、低レートＶｏＬＴＥコールが良好な無線条件にある単一のアンテナによってサポートされ得る場合に、共有アンテナ４０５をＷｉＦｉトランスミッタ４０２へ割り当ててよい。しかし、コントローラが不良ＬＴＥ無線条件を検出する場合は、それは、複数のアンテナを使用する場合に達成されるダイバーシティによって提供される受信増強によってコールドロップを回避するよう、例えば、コールがＬＴＥで保たれるか又は他の通信ネットワーク、例えば、２Ｇ若しくは３Ｇ通信ネットワークへ適切にハンドオーバされることを確かにするよう、共有アンテナ４０５をＬＴＥへ切り替えると決定してよい。
【００７７】
アンテナをＲＡＴ間で切り替える場合に、コントローラは、どの送信スキームをＲＡＴが用いるかを考慮してよい。ＲＡＴ（ＬＴＥ、ＷＬＡＮ等）が、例えば、２×２ＭＩＭＯを用いる場合は、２つのアンテナが、２つのＭＩＭＯストリームをデコードするよう受信に必要とされる。しかし、実際の用途では、２つのアンテナの伝送経路は、単一のＭＩＭＯストリームが有効にサポートされ得るように高い相関を有することがある。伝送を制御するよう、モバイル通信装置１０１は、ＭＩＭＯチャネルマトリクスの階数のようなパラメータをトランスミッタ（この場合、基地局１０５）へ報告してよい。２の階数は、２つのＭＩＭＯストリームが（必要とされる２つのアンテナを有して）可能であることを示し、１の階数は、２つのアンテナの使用と比較してわずかの性能劣化を有して単一のアンテナによりデコードされ得る単一のＭＩＭＯストリームに関する要求を示す。
【００７８】
以下で、例は、如何にしてこの階数報告がＲＡＴのトランスミッタで用いられるＭＩＭＯスキームを設定するようモバイル通信装置１０１によって使用され得るのかを前提とされる。例として、階数２を用いて運行するＬＴＥリンク、及び共有アンテナ４０５を要求するＷＬＡＮの場合が使用される。ＲＡＴはまた逆にされてよく、又はこれは他のＲＡＴ組み合わせに適用されてよい。
【００７９】
第１に、モバイル通信装置１０１がＬＴＥを介するＶｏＬＴＥボイスコールを有し、同時に、ＷｉＦｉを介するビデオストリーミングを実行するシナリオが仮定される。ＬＴＥに関する無線条件は良好であるとする。フローは図５において表されている。
【００８０】
図５は、信号図５００を示す。
【００８１】
信号図５００において、時間は左から右へ流れ、共有アンテナ４０５の割当は第１のサブダイアグラム５０１に示され、ＬＴＥトランシーバ４０１によって報告されるＭＩＭＯチャネルマトリクス階数は第２のサブダイアグラム５０２に示され、基地局１０５によって使用されるＭＩＭＯチャネルマトリクス階数（すなわち、送信されるストリームの数）は第３のサブダイアグラム５０３に示される。
【００８２】
最初に、共有アンテナ４０５はＬＴＥへ割り当てられ、良好なＬＴＥ無線条件により、ＬＴＥトランシーバ４０１は、ネットワーク容量を有効に使用するよう階数２を報告する。
【００８３】
ビデオストリームの開始時に、ＷｉＦｉトランシーバ４０２は、未知の長さの長期間について共有アンテナ４０５を要求する。
【００８４】
共有アンテナ４０５がＷＬＡＮへ切り替えられる前に、ＬＴＥは、第１の時点５０４から基地局１０５へのその報告において１を偽造し、それにより、基地局１０５は第２の時点５０５で送信を階数１のＭＩＭＯ伝送へ変更し、これがＬＴＥレシーバによって単一のアンテナにより受信され得る。その場合にのみ、アンテナは第３の時点５０６でＷＬＡＮへ切り替えられる。
【００８５】
ビデオストリームが停止し、ＷＬＡＮトランシーバ４０２が共有アンテナ４０５を解放する（すなわち、もはや使用しない）場合に、コントローラは第４の時点５０７で共有アンテナ４０５をＬＴＥへ切り替え直す。次いで、ＬＴＥトランシーバ４０１は、ＭＩＭＯチャネルマトリクスの実際の階数を測定して、第５の時点５０８で正確な階数（１又は２）の報告を開始する。例えば、階数２が報告される場合に、基地局１０５は第６の時点５０９で２つのストリームを用いて送信を継続する。
【００８６】
第２の例として、ＷＬＡＮトランスミッタ４０２が、既知の短い長さを有する期間にのみ、例えば、短いブラウジングデータ転送のために、共有アンテナ４０５を要求するシナリオが仮定される。これは図６において表されている。
【００８７】
図６は、信号図６００を示す。
【００８８】
信号図６００において、時間は左から右へ流れ、共有アンテナ４０５の割当は第１のサブダイアグラム６０１に示され、ＬＴＥトランシーバ４０１によって報告されるＭＩＭＯチャネルマトリクス階数は第２のサブダイアグラム６０２に示され、基地局１０５によって使用されるＭＩＭＯチャネルマトリクス階数（すなわち、送信されるストリームの数）は第３のサブダイアグラム６０３に示される。
【００８９】
最初に、共有アンテナ４０５はＬＴＥへ割り当てられ、良好なＬＴＥ無線条件により、ＬＴＥトランシーバ４０１は、ネットワーク容量を有効に使用するよう階数２を報告する。
【００９０】
図５を参照して記載される第１のシナリオにおいて見られるように、ＬＴＥトランシーバ４０１は、第１の時点６０４で階数１を偽造する。基地局１０５は、第２の時点６０５で送信を階数１のＭＩＭＯ伝送へ変更し、これがＬＴＥレシーバによって単一のアンテナにより受信され得る。その場合にのみ、アンテナは第３の時点６０６でＷＬＡＮへ切り替えられる。ＷｉＦｉトランシーバ４０２が共有アンテナ４０５を要求する短時間の期間の後、共有アンテナ４０５は第４の時点６０７でＬＴＥへ切り替え直される。
【００９１】
図５を参照して記載される第１のシナリオと対照的に、ＬＴＥが共有アンテナ４０５を有さない短時間の期間により、ＬＴＥトランシーバ４０１は、その期間の終わり（ＬＴＥが第２のアンテナを再び手に入れる時）に、以前からの階数２が、ただゆっくりと変化するチャネルのために、依然として有効であると仮定し、予め第５の時点６０８で階数２のＭＩＭＯ伝送スキームを用いるよう基地局１０５に要求する。以前の階数のこのような仮定は、例えば、ギャップの長さに関する閾値に基づいてなされてよい。この閾値はまた、例えば、モバイル通信装置１０１の速度、すなわち、どれくらい速くチャネルがモバイル通信装置１０１で変化するのかに適応されてよい。
【００９２】
ＬＴＥトランシーバ４０１による要求に従って、基地局１０５は第６の時点６０９で２つのストリームを用いて送信を継続する。
【００９３】
ＬＴＥが予め階数１を使用している場合は、図５及び６を参照して記載された例における階数１の偽造は不要であることが留意されるべきである。更に、シナリオが間で変わる場合（例えば、ＬＴＥ接続が終了する場合）は、図５及び６を参照して記載されるスキームの第１又は第２の部分のみが使用されてよい。
【００９４】
また、共有アンテナ４０５がごく短時間にのみ第２のＲＡＴ（本例では、ＷｉＦｉ）によって使用されるシナリオが存在してよい。これは、例えば、ＧＰＳ／ＧＮＳＳモジュールによる、それが取得を有した後の短いトラッキング測定、又はＷｉＦｉによる短い品質測定であってよい。短期使用のデータはまた、アンテナがアクティブである必要なしにその後にオフライン処理を可能にするよう記憶されてよい。
【００９５】
そのようなごく短いアンテナ切り替えに関し、切り替えのためにＬＴＥを準備する（例えば、階数１を偽造する）オーバーヘッドは、利点と比較して大きすぎることがある。
【００９６】
そのような場合に、コントローラは、ＬＴＥトランシーバ４０１に知らせずに、単に、短い時間期間の間共有アンテナ４０５を切り替えてよい。ＬＴＥトランシーバ４０１はこの場合に、わずかの且つ短い劣化を経験するが、通常は、深刻且つ長期の影響は、ＨＡＲＱ（Hybrid  Automatic  Repeat  Request）及びより高いレイヤの再伝送が欠陥を隠すので、可視的でない。このアプローチは図７において表されている。
【００９７】
図７は、信号図７００を示す。
【００９８】
信号図７００において、時間は左から右へ流れ、共有アンテナ４０５の割当は第１のサブダイアグラム７０１に示され、ＬＴＥトランシーバ４０１によって報告されるＭＩＭＯチャネルマトリクス階数は第２のサブダイアグラム７０２に示される。
【００９９】
最初に、共有アンテナ４０５はＬＴＥへ割り当てられ、良好なＬＴＥ無線条件により、ＬＴＥトランシーバ４０１は、ネットワーク容量を有効に使用するよう階数２を報告する。
【０１００】
第１の時点７０３で、コントローラは共有アンテナ４０５をＷｉＦｉトランシーバ４０２へ切り替える。コントローラは、共有アンテナ４０５がＷｉＦｉトランシーバ４０２へ切り替えられたままであるが短期間であることから、ＬＴＥトランシーバ４０１がこれを知らされないと決定する。然るに、ＬＴＥトランシーバ４０１は、階数２を報告し続ける。第２の時点７０４で、共有アンテナ４０５はＬＴＥトランシーバ４０１へ切り替え直される。
【０１０１】
上記の切り替え制御はまた、アンテナ自体の周波数特性を制御することが可能であってよい。これは、セルラー（７００ＭＨｚ〜２７００ＭＨｚ）及びＷｉＦｉ（２４００ＭＨｚ〜５８００ＭＨｚ）の両方のＲＡＴの全周波数範囲をカバーするアンテナを作ることが困難であり得るために、望ましい。コントローラは、キャパシタバンクの内部切り替えを用いてアンテナに拡大された周波数範囲を持たせる手段、又はＷｉＦｉモードとセルラーモードとの間でアンテナを切り替える同じ信号によって制御されるあらゆる他の電気的手段を用いてよい。
【０１０２】
以下で、更なる例が記載される。スマートフォンのための１つの典型的な適用はテザリングである。テザリングによれば、インターネットへのスマートフォンのセルラー接続（例えば、３Ｇ又はＬＴＥに従う）が存在する。スマートフォンは、例えば、ケーブル、ブルートゥース、又はＷｉＦｉを介して、このインターネット接続へのアクセスを他の装置に与える。よって、このような他の装置（例えば、タブレット、ウルトラブック、ノートブック等）は、自身のセルラー接続を有さなくてよく、例えば、ＷｉＦｉカバレッジの外でさえ、インターネットアクセスを有することができる。
【０１０３】
ＨＤＴＶ／ビデオストリーミングのような適用に関し、非常に高いデータレートが必要とされる。高データレートを達成するよう、ＭＩＭＯ（例えば、２×２）、ＴＸダイバーシティ及びＲＸダイバーシティのような多重アンテナテクノロジが使用されてよい。以下で、ＭＩＭＯがデータ伝送のために使用されるテザリングシナリオにおけるアンテナ共有のためのアプローチが考えられる。具体的に、以下で記載されるアプローチにおいては、様々な数のアンテナが、高速テザリングシナリオに必要とされる携帯電話機におけるアンテナの数を減らすようアップリンク及びダウンリンクのために使用される。
【０１０４】
図８は、通信配置８００を示す。
【０１０５】
通信配置８００は、例えば、モバイル通信装置１０１に対応する携帯電話機８０１と、基地局１０５に対応するＬＴＥ基地局８０２と、更なる通信装置８０３とを含む。
【０１０６】
携帯電話機８０１は、ＬＴＥトランシーバ８０４と、ＷｉＦｉトランシーバ８０５と、コントローラ８０６（アプリケーションプロセッサ又は制御回路によって実施される。）と、アンテナ８０７、８０８及び８０９とを有する。第１のアンテナ８０７は恒久的にＬＴＥへ割り当てられ、第２のアンテナ８０８は恒久的にＷｉＦｉへ割り当てられ、第３のアンテナ８０９は、ＬＴＥとＷｉＦｉとの間でコントローラ８０６によって切り替えられ得る共有アンテナである。
【０１０７】
この例において、携帯電話機８０１（ＬＴＥに従うＵＥ（User  Equipment）として動作する。）がインターネット接続のために基地局８０２からのＬＴＥ２×２ＭＩＭＯ（代替的に、これは例えば、３Ｇ／ＨＳＤＰＡ  ＭＩＭＯであってよい。）ダウンリンクを有し且つ携帯電話機８０１が２×２ＭＩＭＯＷｉＦｉを備えた更なる装置８０３、例えば、ノートブックへのテザリングのためのＷｉＦｉアクセスポイントとしての機能を果たす高速テザリングシナリオが存在する。
【０１０８】
この例において、コントローラ８０６は、携帯電話機８０１が更なる装置８０３から少量のデータしか受信する必要がなく、すなわち、ＷｉＦｉ受信のためにほとんどスループット要求を有さず、一方、携帯電話機８０１がＬＴＥ受信のために大きなスループット要求を有するために、受信のために共有アンテナ８０９をＬＴＥへ割り当てると決定する。
【０１０９】
しかし、送信に関しては、共有アンテナ８０９は、携帯電話機８０１がＷｉＦｉ送信のために高いスループット要求を有し、一方、ＬＴＥ送信のために低いスループット要求を有するので、ＷｉＦｉへ割り当てられる。
【０１１０】
よって、セルラーリンク（すなわち、基地局８０２と携帯電話機８０１との間の通信接続）とテザリングリンク（すなわち、更なる通信装置８０３と携帯電話機８０１との間の通信接続）との間にはアンテナ共有が存在する。よって、アンテナの数は４（２×２ＬＴＥ  ＭＩＭＯのための２個及びＷｉＦｉ  ＭＩＭＯのための２個）から３へ削減可能でありながら、依然として夫々のアンテナ８０７、８０８、８０９は方向毎にただ１つの無線テクノロジを使用可能とする。つまり、アップリンク及びダウンリンクは、アンテナ毎の受信及び送信並びに無線テクノロジごとに別個に考えられる。
【０１１１】
具体的に、ダウンリンク（基地局８０２から更なる装置８０３へ）がアップリンクよりもずっと高いデータレートを（例えば、ＨＤビデオストリーミングのために）必要とする場合、多重アンテナテクノロジはダウンリンクにおいてのみ適用される。
【０１１２】
図８のシナリオに関し、ダウンリンクは、基地局８０２から携帯電話機８０１への及び携帯電話機８０１から更なる装置８０３へのダウンリンク接続を含む。セルラーダウンリンク接続、すなわち、基地局１０５から携帯電話機８０１へのダウンリンク接続のために、携帯電話機８０１はレシーバであり、一方、テザリングダウンリンク接続、すなわち、携帯電話機８０１から更なる装置８０３へのダウンリンク接続のために、携帯電話機８０１はトランスミッタである。然るに、携帯電話機８０１はセルラーダウンリンク接続のために複数（ここでは２）の受信アンテナを使用し、一方、テザリングダウンリンク接続のために携帯電話機８０１は複数（ここでは２）の送信アンテナを使用する。いずれの接続に関しても、逆の（すなわち、アップリンク）方向のためには少なくとも１つのアンテナが必要とされると考えると、携帯電話機８０１は、このようなスマートアンテナ共有により４つではなくたった３つのアンテナを用いてテザリングを提供してよい。
【０１１３】
アンテナ送信及び受信信号は、サーキュレータ８１０により分離されてよい。１つのアンテナにおける送信及び受信のための異なる周波数がＦＤＤシステムにおいて使用されてよく、キャリアアグリゲーションシナリオにおいて周波数は有意に異なってよい。ＷｉＦｉ及び例えばＬＴＥはまた同じバンド幅において動作することができる。
【０１１４】
図８を参照して記載されるアプローチはまた、より多くのアンテナ及び例えばより高次のＭＩＭＯスキーム（４×２、４×４等）に適用されてよい。更に、ＬＴＥトランシーバ８０４及びＷｉＦｉトランシーバ８０５とアンテナ８０７、８０８及び８０９との間にはマトリクス接続が存在してよく（すなわち、全てのトランシーバは、例えば、結合デジタルフィードＲＦチップによって、全てのアンテナへ接続され得る。）、コントローラ８０６は、どのアンテナ８０７、８０８、８０９がどの接続のために選択されるのかを柔軟に最適化してよい。例えば、１つのアンテナは、セルラー接続に関してシャドーイングによって劣化されることがあり、一方、異なる角度の受信により、他のアンテナはテザリング接続に関して劣化されることがある。コントローラ８０６はそのような影響を考慮しながらアンテナを割り当ててよい。
【０１１５】
具体的な態様が記載されてきたが、形態及び詳細における様々な変更が、添付の特許請求の範囲によって定義される本開示の態様の精神及び適用範囲から逸脱することなしにそれらにおいてなされてよいことが当業者によって理解されるべきである。よって、適用範囲は、添付の特許請求の範囲によって示され、特許請求の範囲の均等の意味及び範囲内にある全ての変更は、従って包含されるよう意図される。
【０１１６】
［関連出願の相互参照］
本願は、２０１３年５月２４日付けで出願された米国特許仮出願第６１／８２７０２９号に基づく優先権を主張するものである。なお、当該米国出願の内容は、その全文を参照により本願に援用される。
【符号の説明】
【０１１７】
１００                  通信配置
１０１                  モバイル通信装置
１０２，４０１，８０４  第１のトランシーバ（ＬＴＥトランシーバ）
１０３，４０２，８０５  第２のトランシーバ（ＷｉＦｉトランシーバ）
１０４                  アンテナ
１０５                  基地局
２００                  通信装置
２０１，４０３，８０７  第１のアンテナ
２０２，４０４，８０８  第２のアンテナ
２０３，４０５，８０９  第３のアンテナ
２０４                  第１のトランシーバ
２０５                  第２のトランシーバ
２０６，８０６          コントローラ
４０６                  スイッチ
８０１                  携帯電話機
８０２                  ＬＴＥ基地局
８０３                  更なる通信装置
【図１】
2014230279.tif 000003
【図２】
2014230279.tif 000004
【図３】
2014230279.tif 000005
【図４】
2014230279.tif 000006
【図５】
2014230279.tif 000007
【図６】
2014230279.tif 000008
【図７】
2014230279.tif 000009
【図８】
2014230279.tif 000010